(57)【要約】【課題】  ３Ｄモデルに付加される属性情報をより見やすくすることを目的とするものである。【解決手段】  ３Ｄモデルの要素に対する属性情報を入力する属性入力手段と、該属性情報が関連付けられる仮想的な平面を設定する属性配置平面設定手段と、該仮想的な平面に前記属性情報を関連付けて記憶する記憶手段と、前記属性配置平面設定手段により設定される仮想的な平面の面上に、前記属性情報を配置する属性情報配置手段と、前記属性情報と前記３Ｄモデルの要素との関連付けを明示する引出し線を設定する引出し線設定手段とを有し、該引出し線設定手段が、前記引出し線の長さが最小となるように引出し線を設定することを特徴とする情報処理装置等、を提供する。【選択図】  図１
2006072534.tif 000002
【特許請求の範囲】
【請求項１】
３Ｄモデルの要素に対する属性情報を入力する属性入力手段と、
該属性情報が関連付けられる仮想的な平面を設定する属性配置平面設定手段と、
該仮想的な平面に前記属性情報を関連付けて記憶する記憶手段と、
前記属性配置平面設定手段により設定される仮想的な平面の面上に、前記属性情報を配置する属性情報配置手段と、
前記属性情報と前記３Ｄモデルの要素との関連付けを明示する引出し線を設定する引出し線設定手段とを有し、
該引出し線設定手段が、前記引出し線の長さが最小となるように引出し線を設定することを特徴とする情報処理装置。
【請求項２】
前記引出し線設定手段が、前記３Ｄモデルの要素から前記属性配置平面までの第一の引出し線部の長さと、前記属性配置平面上での第二の引出し線部の長さとの和が最小となるように引出し線を設定することを特徴とする請求項１に記載の情報処理装置。
【請求項３】
３Ｄモデルの要素に対する属性情報を入力する属性入力工程と、
該属性情報が関連付けられる仮想的な平面を設定する属性配置平面設定工程と、
該仮想的な平面に前記属性情報を関連付けて記憶する記憶工程と、
前記属性配置平面設定工程により設定される仮想的な平面の面上に、前記属性情報を配置する属性情報配置工程と、
前記属性情報と前記３Ｄモデルの要素との関連付けを明示する引出し線を設定する引出し線設定工程とを有し、
該引出し線設定工程が、前記引出し線の長さが最小となるように引出し線を設定することを特徴とする情報処理方法。
【請求項４】
前記引出し線設定工程が、前記３Ｄモデルの要素から前記属性配置平面までの第一の引出し線部の長さと、前記属性配置平面上での第二の引出し線部の長さとの和が最小となるように引出し線を設定することを特徴とする請求項３に記載の情報処理方法。
【請求項５】
コンピュータに、
３Ｄモデルの要素に対する属性情報を入力する属性入力手順と、
該属性情報が関連付けられる仮想的な平面を設定する属性配置平面設定手順と、
該仮想的な平面に前記属性情報を関連付けて記憶する記憶手順と、
前記属性配置平面設定手順により設定される仮想的な平面の面上に、前記属性情報を配置する属性情報配置手順と、
前記属性情報と前記３Ｄモデルの要素との関連付けを明示する引出し線を設定する引出し線設定手順とを実行させ、
該引出し線設定手順が、前記引出し線の長さが最小となるように引出し線を設定するプログラムを記憶したことを特徴とするコンピュータ読み取り可能な記憶媒体。
【請求項６】
コンピュータに、
３Ｄモデルの要素に対する属性情報を入力する属性入力手順と、
該属性情報が関連付けられる仮想的な平面を設定する属性配置平面設定手順と、
該仮想的な平面に前記属性情報を関連付けて記憶する記憶手順と、
前記属性配置平面設定手順により設定される仮想的な平面の面上に、前記属性情報を配置する属性情報配置手順と、
前記属性情報と前記３Ｄモデルの要素との関連付けを明示する引出し線を設定する引出し線設定手順とを実行させ、
該引出し線設定手順が、前記引出し線の長さが最小となるように引出し線を設定することを特徴とするプログラム。
【発明の詳細な説明】
【技術分野】
【０００１】
本発明は、情報処理装置及び方法に関し、特に、３Ｄ（３次元）−ＣＡＤを用いて３Ｄモデル（３Ｄ形状）を作成する情報処理装置及び方法に関する。
【背景技術】
【０００２】
従来、３Ｄ−ＣＡＤを用いて、商品や製品を構成する部品、ユニット等の３次元の形状を有する物品（以下、単に部品という）の設計を行っていた。この設計においては、３Ｄ−ＣＡＤで、部品の３Ｄモデルを作成し、該３Ｄモデルに対し寸法、寸法公差、幾何公差、注記、記号などの属性情報を入力していた。該属性情報は３Ｄモデルあるいは３Ｄモデルの面、稜線、あるいは頂点等の要素に対し付加される。
【０００３】
上記３Ｄモデルおよび属性情報は、部品の加工、検査、組み立て、あるいはメンテナンス等を行うための情報であり、入力するオペレータ＝設計者から、見るオペレータ＝加工、製造、検査等の技術者に、情報が分かりやすく、効率的に、間違うことなく、伝達されるものでなくてはならない。
【０００４】
上記のような３Ｄ−ＣＡＤを用いた情報処理装置において、３Ｄモデルに寸法を付加するために、投影方向に対し２つの要素（例えば２つの頂点）が同一平面にないとき、一方または両方の引出し線を「く」の字形の線とすることが知られている（特許文献１参照）。
【０００５】
また、本出願人は、上記３Ｄモデルに対する属性情報の付加に際し、操作性良く、視認性良く、かつ効率的に属性情報を付加すること、また付加された属性情報を効率よく利用すること、また３Ｄモデルと属性情報を活用し部品作成を効率良く行うこと等を目的として、属性情報が関連付けられる仮想的な平面を設定する属性配置平面設定手段と、該仮想的な平面に前記属性情報を関連付けて記憶する記憶手段を有する情報処理装置を開示している（特許文献２参照）。
【０００６】
【特許文献１】特公平６−３６０６号公報（第３頁左欄第１４行〜第２７行）
【特許文献２】特開２００２−３２４０８６号公報
【発明の開示】
【発明が解決しようとする課題】
【０００７】
上記従来例の如き、３Ｄ−ＣＡＤを用いた情報処理装置において、３Ｄモデルに付加される属性情報をより見やすくするための工夫がなされることは当然である。
【０００８】
例えば、特許文献１においては、「く」の字形に折り曲げず投影方向に対し同一面に位置する要素（稜線、あるいは頂点）から引出す、あるいはいずれか一方のみを「く」の字形に折り曲げ同一面上で寸法を配置する工夫が開示されている。
【０００９】
また、特許文献２（第９頁左欄第１８行〜第４５行）においては、属性配置平面に関連付ける属性情報を、同一平面すなわち属性配置平面上に配置する工夫が開示されている。
【００１０】
しかしながら、３Ｄモデルの要素と属性情報との関連付けを明示するための引出し線の引出し位置に基づく、属性情報の三次元的な配置による煩雑さ、見づらさについては言及されていない。
【００１１】
例えば、図２ａに示す３Ｄモデル１には属性配置平面２、３、および４が設定されている（図２ｃ）。図３は属性配置平面２、３、および４を各々の属性配置平面の法線方向から見た、いわゆる正対表示した状態を並べて示しており、属性配置平面２、３、および４には寸法２ａ〜２ｅ、寸法３ａ〜３ｃ、および寸法４ａ〜４ｃがそれぞれ関連付けられ正対表示している。これらの寸法は３Ｄモデル１の各面に対し付加され、かつ各面のいずれかの頂点から引出されるものである。そのため、例えば属性配置平面２に関連付けられている寸法を三次元的に見る場合、図４ａと図４ｂに示すように、各寸法２ａ〜２ｅの引出し位置によっては、正対表示では同一の見え方でも、大きく変わってしまうものである。すなわち、図４ｂの寸法の引出し線は煩雑で見づらく、図４ａは簡明で見やすい。
【００１２】
寸法２ａ〜２ｅという数個の寸法でも寸法の引出し線の引出し方で見やすさが大きく変わるものであり、数十〜数百の数の寸法がひとつの属性配置平面に関連付けられる場合には、三次元的に表示する場合に属性情報を見やすくする工夫が必須となるものである。
【００１３】
一方、３Ｄ−ＣＡＤのオペレータ、例えば製品設計者は、複雑な３Ｄモデルになると数百〜数千の寸法等の属性情報を作成しなければならず、個々の属性情報に対し三次元的にも見やすくするために引出し位置の修正等の操作をすることは、製品設計者の負荷が増し、製品設計工程の工数が増加、結果的に部品作成全体の工数の増加、あるいは部品作成期間が長くかかってしまうことになる。
【課題を解決するための手段】
【００１４】
本発明は上記に鑑みなされたものであり、３Ｄ（３次元）モデルの要素に対する属性情報を入力する属性入力手段と、該属性情報が関連付けられる仮想的な平面を設定する属性配置平面設定手段と、該仮想的な平面に前記属性情報を関連付けて記憶する記憶手段と、前記属性配置平面設定手段により設定される仮想的な平面の面上に、前記属性情報を配置する属性情報配置手段と、前記属性情報と前記３Ｄモデルの要素との関連付けを明示する引出し線を設定する引出し線設定手段とを有し、該引出し線設定手段が、前記引出し線の長さが最小となるように引出し線を設定することを特徴とする情報処理装置等、を提供する。
【発明の効果】
【００１５】
本発明によれば、情報処理装置において、３Ｄモデルの要素に対する属性情報を入力する属性入力手段と、該属性情報が関連付けられる仮想的な平面を設定する属性配置平面設定手段と、該仮想的な平面に前記属性情報を関連付けて記憶する記憶手段と、前記属性配置平面設定手段により設定される仮想的な平面の面上に、前記属性情報を配置する属性情報配置手段と、前記属性情報と前記３Ｄモデルの要素との関連付けを明示する引出し線を設定する引出し線設定手段とを有し、該引出し線設定手段が、前記引出し線部の長さが最小となるように引出し線を設定する引出し線設定手段である如き構成とすることで、前記属性配置平面上での属性情報の配置位置に従い、より短い引出し線を設定することで、オペレータ（例えば製品設計者）の負荷を増すことなく、見やすい属性情報を作成することができるものである。
【発明を実施するための最良の形態】
【００１６】
以下、本発明の実施形態について説明する。本実施形態においては、特に記載のない、属性配置平面設定手段と記憶手段を有する３Ｄ−ＣＡＤ装置の構成とその処理フロー、３Ｄモデルの構成、および３Ｄモデルと属性情報を活用した部品作成については従来例（特許文献２）と同様であり、説明を省略している。
【００１７】
本発明の一実施の形態を、図１〜図８を用いて詳細に説明する。
本説明においては簡略化のため図２ａ〜図２ｃに示すような比較的単純な形状の部品を用いるが、本発明の考え方は数百〜数千以上の要素を有する複雑な形状の部品においても当然適用できるものである。
【００１８】
図２ｃに示すように３Ｄモデル１には属性配置平面２、３、および４が設定されている。属性配置平面２、３、および４はそれぞれ面１ａ、１ｂ、および１ｃに平行に、かつ面１ａ、１ｂ、および１ｃから所定の距離離れて設定されている。図３に示すように、属性配置平面２、３、および４には属性情報である寸法２ａ〜２ｅ、寸法３ａ〜３ｃ、および寸法４ａ〜４ｃがそれぞれ関連付けられている。各寸法は、３Ｄモデル１の面を要素として作成され、面に含まれるいずれかの頂点から引出し線が引き出される。例えば図４ａ及び図４ｂに示すように、寸法２ａ（寸法「８０」）は３Ｄモデル１の面１ｃと１ｄを要素として作成され、面１ｃからの引出し位置としては頂点１ｅ、１ｆ、１ｇ、１ｈ、１ｉ、あるいは１ｊのいずれかひとつが、面１ｄからの引出し位置としては頂点１ｋ、１ｌ、１ｍ、あるいは１ｎのいずれかが選択され引出し線が引き出されるものである。
【００１９】
該引出し線は、例えば図４ａ及び図４ｂの属性配置平面２に関連付いている寸法２ａのように、３Ｄモデル１の頂点１ｅと１ｋから属性配置平面２の法線方向に該属性配置平面２まで引出される第一の引出し線部５と、属性配置平面２上で寸法２ａの配置位置（寸法２ａの寸法線７の両端近傍）まで引出される第二の引出し線部６とからなり、関連付いている３Ｄモデルの要素との関連付けが明示される。第二の引出し線部６はいわゆる２Ｄにおける製図の寸法補助線に相当する。
【００２０】
さて、図１に本発明の主眼である引出し線の設定に関するフローチャートを示す。上記寸法２ａを例にフローチャートについて説明する。
【００２１】
属性情報作成メニューより長さ寸法作成コマンドを立ち上げた後、ステップＳ１０１において、オペレータが面１ｃと１ｄを選択する。ステップＳ１０２において、オペレータが寸法２ａを関連付ける属性配置平面２を指定する。
【００２２】
ステップＳ１０３において、あらかじめ設定されている属性情報の仮配置設定に基づき、３Ｄモデルに対し属性情報の仮配置の位置が設定される。該仮配置は、例えば属性配置平面を正対表示時に、属性配置平面上で寸法の方向（寸法線の方向、寸法２ａの場合は左右方向）により３Ｄモデルの上側、あるいは右側に位置するように設定されている。さらに詳しい説明を図８ａ及び図８ｂに示す。属性配置平面を正対表示時に、表示の左右方向を寸法方向の０［°］としたとき（例えば図８ｂにおいて、寸法８ａ（寸法「３０」）の寸法方向は３０［°］、寸法８ｂ（寸法「２５」）の寸法方向は７５［°］となる）、寸法方向が０〜４５［°］の範囲Ａの寸法は３Ｄモデルの上側でモデルの最外形から所定距離離した位置に仮配置し、４５〜９０［°］の範囲Ｂの寸法は３Ｄモデルの右側に同様に仮配置するように設定されている。寸法を連続して作成する場合には、直前の寸法を配置した側に設定されてもよい。例えば、直前の寸法が３Ｄモデルの下側に配置されているとき、作成する寸法が該直前の寸法と寸法方向が同じであれば、作成する寸法も３Ｄモデルの下側に仮配置されるように設定されてもよい。
【００２３】
ステップＳ１０４において、上記仮配置の位置に対し、該属性配置平面２と面１ｃの頂点１ｅ、１ｆ、１ｇ、１ｈ、１ｉ、１ｊ間の距離、すなわち第一の引出し線部５の長さを算出する。そして、各頂点の該属性配置平面２への投影点となる第一の引出し線部５の終端と、上記仮配置位置を結ぶ第二の引出し線部６の長さを各々算出する。各頂点の第一の引出し線部５と第二の引出し線部６との長さの和を求め、最小となる頂点を仮の引出し位置とする。面１ｃでは頂点１ｅが仮の引出し位置となる。同様に、寸法２ａが属性配置平面上で３Ｄモデルの上側に仮配置される場合、面１ｄの引出し位置は、第一の引出し線部５と第二の引出し線部６との長さの和が最小となる頂点１ｋが仮の引出し位置となる。そして、上記仮配置位置と仮の引出し位置で、引出し線を含む属性情報が表示される。該表示は、仮の状態での表示であるため、決定後の表示とは異なる、例えば異なる色等、仮の状態であることがオペレータに容易に分かるような表示であることが好ましい。
【００２４】
次に、ステップＳ１０５において、オペレータが属性配置平面２上での寸法２ａの仮配置位置を、他の寸法等との位置関係等により寸法２ａが見やすい位置となるように修正する。当然修正の必要がなければそのままステップＳ１０６に進む。さらにステップＳ１０５において、仮配置位置の上記修正結果に基づき、再度各頂点に対する第一の引出し線部５と第二の引出し線部６との長さの和が算出され、最小となる頂点が引出し位置として選択され、修正された仮配置位置と選択された引出し位置で、引出し線を含む属性情報が表示される。例えば寸法２ａが属性配置平面２上で３Ｄモデルの下側に仮配置位置を修正されると（図７ｄ）、面１ｃからの仮引出し位置は頂点１ｅから頂点１ｆに変更される。同様に面１ｄからの仮引出し位置についても頂点１ｋから１ｌに変更される。ステップＳ１０５において、寸法２ａの配置位置が属性配置平面２上で３Ｄモデルの上側での配置位置の修正に留まれば、引出し位置は変更されない。
【００２５】
ステップＳ１０６で、オペレータが寸法２ａの配置位置および引出し線とその引出し位置を確認し、不具合等があればステップＳ１０５に戻り、再度配置位置を修正、引出し線の長さの算出、引出し位置の変更等がなされる。ステップＳ１０６で確認がＯＫとなれば、ステップＳ１０７で属性情報の引出し位置と配置位置が決定され、寸法２ａが属性配置平面２に関連付けられる。
【００２６】
上記の処理は、例えばＣＡＤプログラムの一部として外部記憶装置に保管され、ＣＰＵ装置によって実行される。
【００２７】
上記フローチャートにより、図４ｂ、図５ｂ、図６ｂ、図７ａ又は図７ｃに示すように引出し線部５および６が長く、３Ｄモデルを横切るような状態を回避でき、図４ａ、図５ａ、図６ａ、図７ｂ又は図７ｄに示すように最小の長さで引出し線を設定できる。また上記フローチャートにおいて、オペレータは従来通り属性情報の配置位置のみを修正・設定するだけで、自動的に見やすい引出し線が設定できる。
【００２８】
上記実施例は、２面間の長さ寸法について説明したが、本発明によれば２面間の角度寸法についても同様に、見やすい引出し線を設定できる。図９ａ〜図９ｃに３Ｄモデル１の面１ｐと１ｑ間に角度寸法２ｆ（寸法［９０°］）が作成されている状態を示す。上記実施例同様、属性情報作成メニューより角度寸法作成コマンドを立ち上げ後、上記実施例のステップＳ１０１およびＳ１０２において、オペレータが面１ｐと１ｑ、および属性配置平面２を指定する。
【００２９】
ステップＳ１０３において、あらかじめ設定されている属性情報の仮配置設定に基づき、３Ｄモデルに対し属性情報の仮配置の位置が設定される。該設定の説明を図１０ａ及び図１０ｂに示す。角度寸法は該設定時には面を無限の面と考え、２面間の角度の鋭角の方が選択され、該鋭角の二等分線の方向を、角度の中心方向と考えるものとする。属性配置平面を正対表示時に、表示の左右方向を角度の中心方向の０［°］としたとき、中心方向が０〜４５［°］の範囲Ｃの角度寸法は３Ｄモデルの右側でモデルの最外形から所定距離離した位置に仮配置し、４５〜９０［°］の範囲Ｄの角度寸法は３Ｄモデルの上側に同様に仮配置するように設定されている。図１０ｂにおいて、角度寸法９ａ（寸法「６０°」）の角度の中心方向は６０［°］、角度寸法９ｂ（寸法「７０°」）の角度の中心方向は３５［°］となる。ステップＳ１０４以降は上記実施例と同様に、面１ｐと１ｑの各頂点と属性配置平面２間に設定される第一の引出し線部の長さと、属性配置平面２上の各頂点の投影点と角度寸法２ｆの寸法線の両端近傍までの第二の引出し線部の長さの和より最小の引出し位置が設定されることにより、図９ｃに示すような引出し線が長い状態ではなく、図９ａに示すような見やすい状態で角度寸法を作成することができる。
【００３０】
また本発明は、円筒面の径寸法を、該円筒面の中心軸に平行な属性配置平面に関連付けて作成する場合にも適用しうるものである。図１１ａ及び図１１ｂに３Ｄモデル１１の円筒面１１ａの直径寸法１２ａ（寸法「φ２０±０．５」）が作成されている状態を示す。上記実施例と同様に、円筒面１１ａを属性配置平面１２に投影したときに頂点となる円筒面１１ａ上の点１１ｂ、１１ｃ、１１ｄ、１１ｅに対し第一の引出し線部１５と第二の引出し線部１６との長さの和が最小となる点１１ｂと１１ｃを引出し位置とすることで、図１１ｂに示すような引出し線が長い状態ではなく、図１１ａに示すような見やすい状態で直径寸法を作成することができる。
【００３１】
上記実施例においては、属性情報が付加される３Ｄモデル１の要素として、面の場合について説明したが、属性情報が付加される要素が稜線の場合にも本発明は適用されるものである。この場合には面の頂点に対する処理と同様に、稜線の両端の頂点に対し処理が実行されるものである。
【００３２】
上記実施例においては、ステップＳ１０４およびＳ１０５で平面１ｃと１ｄの全ての頂点に対し、第一の引出し線部５と第二の引出し線部６との長さの和を求めたが、ステップＳ１０１とＳ１０２で３Ｄモデルの要素と関連付ける属性配置平面が選択された後、該要素に含まれる頂点のうち引出し位置となり得る頂点をあらかじめ抽出しておき、該抽出された頂点に対しステップＳ１０４とＳ１０５が実行されてもよい。例えば、図２ａ〜図２ｃ並びに図４ａ及び図４ｂにおいて寸法２ａを作成するために、面１ｃと１ｄおよび属性配置平面２が選択されたら、属性配置平面２に投影したときに同一点となる、頂点１ｅと１ｉ、頂点１ｆと１ｈ、頂点１ｊと１ｇ、頂点１ｋと１ｍ、頂点１ｌと１ｎの組み合わせのうち、属性配置平面２側に位置する頂点１ｅ、頂点１ｆ、頂点１ｊ、頂点１ｋ、および頂点１ｌが抽出される。該抽出により多数の頂点を有する複雑な形状の面に対しても、上記実施例のフローチャートがオペレータの作業効率を落とすことなく実行できるものである。
【００３３】
上記実施例においては、ステップＳ１０３における仮配置設定の一例について説明したが、仮配置の設定方法はいかなる方法でもよい。仮配置の位置に対し引出し線の長さが最小になる引出し位置を設定することが本発明の主眼であり、いかなる仮配置の設定方法に対しても本発明は適用されるものである。
【００３４】
次に、すでに作成されており、属性配置平面に関連付いていない属性情報を、属性配置平面に関連付ける場合の引出し位置の設定について説明する。図１２にフローチャートを示す。ステップＳ２０１おいて、属性情報を作成し、いずれの属性配置平面にも関連付けないフリーの状態とする。ステップＳ２０２において、関連付ける属性配置平面を指定する。ステップＳ２０３において、上記属性情報が現在の位置から、該属性配置平面の法線方向に３Ｄ空間内を移動し、属性配置平面上に仮配置される。ステップＳ２０４以降は上記実施例のステップＳ１０４と同様の処理で見やすい属性情報の配置を設定できるものである。
【００３５】
また、すでに属性配置平面に関連付いている属性情報を他の属性配置平面に関連付ける場合は、上記ステップＳ２０３と同様に、該属性情報が現在の位置から、関連付ける属性配置平面の法線方向に３Ｄ空間内を移動し、該属性配置平面上に仮配置される。これにより上記と同様に見やすい属性情報の配置を設定できるものである。
【００３６】
なお、本発明の実施形態は、例えばコンピュータがプログラムを実行することによって実現することができる。また、プログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記のプログラムも本発明の実施形態として適用することができる。上記のプログラム、記録媒体、伝送媒体及びプログラムプロダクトは、本発明の範疇に含まれる。
【図面の簡単な説明】
【００３７】
【図１】本発明の実施例のフローチャートを示す図である。
【図２ａ】本発明の実施例の３Ｄモデルと属性配置平面を示す図である。
【図２ｂ】同じく、本発明の実施例の３Ｄモデルと属性配置平面を示す図である。
【図２ｃ】同じく、本発明の実施例の３Ｄモデルと属性配置平面を示す図である。
【図３】本発明の実施例の属性配置平面の法線方向から見た３Ｄモデルと属性情報を示す図である。
【図４ａ】本発明の実施例の長さ寸法の引出し線を説明する図である。
【図４ｂ】同じく、本発明の実施例の長さ寸法の引出し線を説明する図である。
【図５ａ】本発明の実施例の長さ寸法の引出し線を説明する図である。
【図５ｂ】同じく、本発明の実施例の長さ寸法の引出し線を説明する図である。
【図６ａ】本発明の実施例の長さ寸法の引出し線を説明する図である。
【図６ｂ】同じく、本発明の実施例の長さ寸法の引出し線を説明する図である。
【図７ａ】本発明の実施例の引出し線の引出し位置を説明する図である。
【図７ｂ】同じく、本発明の実施例の引出し線の引出し位置を説明する図である。
【図７ｃ】同じく、本発明の実施例の引出し線の引出し位置を説明する図である。
【図７ｄ】同じく、本発明の実施例の引出し線の引出し位置を説明する図である。
【図８ａ】本発明の実施例の寸法方向を説明する図である。
【図８ｂ】同じく、本発明の実施例の寸法方向を説明する図である。
【図９ａ】本発明の実施例の角度寸法の引出し線を説明する図である。
【図９ｂ】同じく、本発明の実施例の角度寸法の引出し線を説明する図である。
【図９ｃ】同じく、本発明の実施例の角度寸法の引出し線を説明する図である。
【図１０ａ】本発明の実施例の角度の中心方向を説明する図である。
【図１０ｂ】同じく、本発明の実施例の角度の中心方向を説明する図である。
【図１１ａ】本発明の実施例の径寸法の引出し線を説明する図である。
【図１１ｂ】同じく、本発明の実施例の径寸法の引出し線を説明する図である。
【図１２】本発明の実施例のフリーな属性情報に関するフローチャートを示す図である。
【符号の説明】
【００３８】
１、１１：３Ｄモデル
２、３、４、１２：属性配置平面
５、１５：第一の引出し線部
６、１６：第二の引出し線部
【図１】
2006072534.tif 000003
【図２ａ】
2006072534.tif 000004
【図２ｂ】
2006072534.tif 000005
【図２ｃ】
2006072534.tif 000006
【図３】
2006072534.tif 000007
【図４ａ】
2006072534.tif 000008
【図４ｂ】
2006072534.tif 000009
【図５ａ】
2006072534.tif 000010
【図５ｂ】
2006072534.tif 000011
【図６ａ】
2006072534.tif 000012
【図６ｂ】
2006072534.tif 000013
【図７ａ】
2006072534.tif 000014
【図７ｂ】
2006072534.tif 000015
【図７ｃ】
2006072534.tif 000016
【図７ｄ】
2006072534.tif 000017
【図８ａ】
2006072534.tif 000018
【図８ｂ】
2006072534.tif 000019
【図９ａ】
2006072534.tif 000020
【図９ｂ】
2006072534.tif 000021
【図９ｃ】
2006072534.tif 000022
【図１０ａ】
2006072534.tif 000023
【図１０ｂ】
2006072534.tif 000024
【図１１ａ】
2006072534.tif 000025
【図１１ｂ】
2006072534.tif 000026
【図１２】
2006072534.tif 000027